(57)【特許請求の範囲】
【請求項１】
位置情報衛星から送信される衛星信号を受信して時刻情報および位置情報を取得可能な受信部と、
時差情報が設定される地理情報を複数領域に分割した領域データ、および、各領域に含まれる時差情報を記憶した時差領域情報記憶手段と、
前記受信部で取得した位置情報が含まれる領域を前記領域データから抽出し、その領域に含まれる時差情報を取得する時差情報取得手段と、
前記時差情報取得手段で取得した時差情報および前記受信部で取得した時刻情報に基づいて現在時刻を算出する時刻算出手段とを備え、
前記時差領域情報記憶手段に記憶された前記領域データは、前記地理情報を複数の第１領域に分割した第１領域データと、第１領域において複数の時差情報が含まれる第１領域をさらに複数の第２領域に分割した第２領域データとを、少なくとも備え、
前記領域データの全ての各領域は、矩形形状に区画され、前記第２領域の分割数は各第１領域毎に設定されている
ことを特徴とする電子腕時計。
【請求項２】
請求項１に記載の電子腕時計において、
前記領域データは、前記第２領域において複数の時差情報が含まれる第２領域を、複数の第３領域に分割した第３領域データを、少なくとも備え、
前記第３領域データの全ての各領域は、矩形形状に区画され、前記第３領域の分割数は各第２領域毎に設定されている
ことを特徴とする電子腕時計。
【請求項３】
請求項１または請求項２に記載の電子腕時計において、
前記領域データにおいて、
１つの時差情報しか含まれない領域に対応する時差情報には、前記時差情報のデータが記憶され、
複数の時差情報が含まれる領域に対応する時差情報には、その領域を分割した領域データへのリンク情報が記憶されている
ことを特徴とする電子腕時計。
【請求項４】
請求項１から請求項３のいずれかに記載の電子腕時計において、
前記領域データの時差情報は、利用者の入力操作によって更新可能に構成されていることを特徴とする電子腕時計。
【請求項５】
位置情報衛星から送信される衛星信号を受信して時刻情報および位置情報を取得可能な受信部と、
時差情報が設定される地理情報を複数領域に分割した領域データ、および、各領域に含まれる時差情報を記憶した時差領域情報記憶手段とを備え、
前記時差領域情報記憶手段に記憶された前記領域データは、前記地理情報を所定サイズの第１領域に分割した第１領域データと、第１領域において複数の時差情報が含まれる第１領域をさらに複数の第２領域に分割した第２領域データとを、少なくとも備え、前記領域データの全ての各領域は、矩形形状に区画され、前記第２領域の分割数は各第１領域毎に設定されている電子腕時計の時刻修正方法であって、
位置情報衛星から送信される衛星信号を受信して時刻情報および位置情報を取得する受信工程と、
前記受信工程で取得した位置情報が含まれる領域を前記各領域データから抽出し、その領域に含まれる時差情報を取得する時差情報取得工程と、
前記時差情報取得工程で取得した時差情報および前記受信工程で取得した時刻情報に基づいて現在時刻を算出する時刻算出工程と、
を備えることを特徴とする電子腕時計の時刻修正方法。
【請求項６】
請求項５に記載の電子腕時計の時刻修正方法において、
１つの時差情報しか含まれない領域に対応する時差情報には、前記時差情報のデータが記憶され、
複数の時差情報が含まれる領域に対応する時差情報には、その領域を分割した領域データへのリンク情報が記憶され、
前記時差情報取得工程は、
前記地理情報を所定サイズの領域に分割した領域データにおいて、受信工程で取得した位置情報が含まれる領域を検出し、検出された領域に対応する時差情報に時差データが記憶されている場合には、その時差データを取得し、
検出された領域に対応する時差情報にリンク情報が記憶されている場合には、前記位置情報が含まれる領域を検出し、検出された領域に対応する時差情報のデータを取得することを特徴とする電子腕時計の時刻修正方法。
【発明の詳細な説明】
【技術分野】
【０００１】
本発明は、例えばＧＰＳ衛星等の測位用衛星から送信される電波を受信して現在の日付や時刻等を求める電子腕時計、電子腕時計の時刻修正方法に関する。
【背景技術】
【０００２】
自己位置を測位するためのシステムであるＧＰＳ（Global Positioning System）システムでは、地球を周回する軌道を有するＧＰＳ衛星が用いられており、このＧＰＳ衛星には、原子時計が備えられている。このため、ＧＰＳ衛星は、極めて正確な時刻情報（ＧＰＳ時刻、衛星時刻情報）を有している。
【０００３】
前記ＧＰＳ時刻は、すべてのＧＰＳ衛星で同じ時刻であり、ＵＴＣオフセット（現在は＋１４秒）を加えることで協定世界時（ＵＴＣ）となる。このため、電子時計において、ＧＰＳ衛星から送信される衛星信号を受信してＧＰＳ時刻を取得し、その電子時計を利用している現地時刻（地方時）を表示する場合、ＵＴＣオフセットで補正した後に、ＵＴＣに対する時差を加えて現地時刻に修正する必要があり、予め前記時差を把握する必要がある。
なお、前記ＵＴＣオフセットは、受信した衛星信号のデータから取得するか、あるいは予めＲＯＭに書き込んでおいた所定値を取得して利用すればよい。
【０００４】
このようなＧＰＳ衛星から送信される衛星信号を用いて位置情報および時刻情報（ＵＴＣ）を取得し、取得した位置情報から測位地点の時差を求めて現地時刻を算出して表示する電波修正時計やナビゲーションシステムが知られている（特許文献１，２参照）。
【０００５】
【特許文献１】特開２００３−１３９８７５号公報
【特許文献２】特開２００３−４４５７号公報
【発明の開示】
【発明が解決しようとする課題】
【０００６】
しかしながら、前記各従来技術では、次のような問題点があった。
すなわち、特許文献１では、移動体位置情報に最も近い固定位置情報を抽出するため、つまり定点を中心とした円状の領域を設定し、移動体位置情報がその領域内であればその定点の時差情報を設定している。この際、前記円状の領域のサイズを調整するため、固定範囲情報という重み付けの係数を用いて距離を正規化しているが、時差の境界線が入り組んでおり、移動体位置情報の周囲に多くの定点が配置され、かつ位置も近い場合、誤判定が生じないように固定範囲情報を設定することが難しく、データ量も増大するという問題があった。
その上、移動体位置情報と各定点の固定位置情報との距離を算出しなければならないため、移動体位置情報の周囲に多くの定点があると、その演算処理に時間がかかり、時差情報を迅速に設定できず、利便性が低下するという問題もあった。
【０００７】
また、特許文献２では、ＣＤ−ＲＯＭやＤＶＤなどに記録された地図データを使用することを前提とし、膨大な地図データに基づいて時差情報を取得しているため、腕時計のようにメモリ容量が制限されている機器では利用できないという問題もあった。
【０００８】
本発明は、必要なメモリサイズを小さくできて腕時計に適用可能であり、かつ、時差情報を迅速に設定できる電子腕時計および電子腕時計の時刻修正方法を提供することを目的とする。
【課題を解決するための手段】
【０００９】
本発明の電子腕時計は、位置情報衛星から送信される衛星信号を受信して時刻情報および位置情報を取得可能な受信部と、時差情報が設定される地理情報を複数領域に分割した領域データ、および、各領域に含まれる時差情報を記憶した時差領域情報記憶手段と、前記受信部で取得した位置情報が含まれる領域を前記領域データから抽出し、その領域に含まれる時差情報を取得する時差情報取得手段と、前記時差情報取得手段で取得した時差情報および前記受信部で取得した時刻情報に基づいて現在時刻を算出する時刻算出手段とを備え、前記時差領域情報記憶手段に記憶された前記領域データは、前記地理情報を複数の第１領域に分割した第１領域データと、第１領域において複数の時差情報が含まれる第１領域をさらに複数の第２領域に分割した第２領域データとを、少なくとも備え、前記領域データの全ての各領域は、矩形形状に区画され、前記第２領域の分割数は各第１領域毎に設定されていることを特徴とする。
【００１０】
本発明では、領域データには、地理情報を分割した領域のデータが記憶される。
ここで、地理情報には、例えば中国や海上などのように同一の時差領域が広い地域がある一方で、ヨーロッパや中近東など国境線等による時差の境界線が複雑に入り組んでいる地域もある。このため、本発明では、地理情報を所定サイズの領域に分割し、複数の時差情報が含まれる領域は、その領域をさらに細かくして小さな領域に分割した領域データを少なくとも設けている。
【００１１】
このような本発明では、同一時差領域が大きなエリア（地域）は所定サイズに分割された第１領域（以下、大領域という）で設定でき、これらの大領域の中で複数の時差領域を含む領域のみを更に分割して第２領域（以下、小領域という）を設定しているので、地図情報のすべてを小さな領域で設定する場合に比べて、領域の設定数を少なくでき、その分、領域データのデータ量を小さくできる。従って、腕時計のようなメモリ容量の小さな機器にも適用することができる。
また、大領域のみで設定すると、時差境界線が複雑に入り組んでいるエリアのように、大領域内に複数の時差が含まれている場合には、取得した位置情報（現在地）が大領域内に含まれていることが判明しても正しい時差情報を取得できない可能性がある。これに対し、本発明では、そのようなエリアでは、大領域を細かく分割した小領域を設定しているため、取得した位置情報がどの小領域に含まれるかを把握できる。そして、小領域は、大領域に比べてサイズが小さいため、小領域を各時差領域毎に設定することもでき、正しい時差情報を取得できる可能性が高まる。
【００１２】
また、タイムゾーン毎に領域を設定した境界線データを用意するのではなく、所定の大領域および小領域を設定し、それらの領域に含まれるタイムゾーンの時差情報を記録しているので、境界線データに比べてデータ量を大幅に削減できる。このため、境界線データを蓄積するにはメモリ容量が足りない場合でも、本発明であれば十分に適用することができる。従って、特に腕時計のような小型の電子時計にも本発明を適用することができる。
さらに、取得した位置情報がどの領域に含まれるかのみを判断するだけで時差情報を取得できるため、特許文献１のように、取得した位置情報と各固定位置情報との距離を算出する場合に比べて、時差情報を迅速に取得して設定することができる。
従って、本発明によれば、必要なメモリサイズを小さくできて腕時計にも適用可能であり、かつ、時差設定を迅速に行うことができる。
【００１３】
さらに、前記領域データの全ての各領域は、矩形形状に区画されているので、領域の特定は、矩形の対角線の２点の座標データのみを登録すればよい。このため、領域データのデータ量を低減できる。
なお、領域が矩形形状でサイズが固定されている場合には、座標データは１点のみ登録すればよいため、データ量を更に低減できる。
さらに、領域のサイズも自由に設定できるため、各領域データの領域（第１〜３領域など）を適切なサイズで設定でき、その分、領域データに登録する領域の数を少なくできてデータ量をより一層低減できる。
また、領域が矩形形状であるため、取得した位置情報がどの領域に含まれるかの処理も非常に簡単に行える。
【００１４】
本発明において、前記領域データは、前記第２領域において複数の時差情報が含まれる第２領域を、複数の第３領域に分割した第３領域データを、少なくとも備え、前記第３領域データの全ての各領域は、矩形形状に区画され、前記第３領域の分割数は各第２領域毎に設定されていることが好ましい。
【００１５】
本発明では、第２領域を分割した第３領域データを備えているので、第１領域から第３領域まで３段階のサイズの領域を設定できる。このため、時差領域のサイズに合わせて各領域を設定しやすくなり、必要なメモリサイズをより一層低減できる。
なお、時差領域が非常に細かく設定されている地域など、必要に応じて、第３領域をさらに分割した第４領域データを設定しても良いし、第４領域をさらに分割した第５領域データを設けても良い。
【００１６】
ここで、前記領域データにおいて、１つの時差情報しか含まれない領域に対応する時差情報には、前記時差情報のデータが記憶され、複数の時差情報が含まれる領域に対応する時差情報には、その領域を分割した領域データへのリンク情報が記憶されていることが好ましい。
【００１７】
本発明では、取得した位置情報が複数の時差情報が含まれる領域に含まれる場合、そのリンク情報に基づいて、その領域を分割した領域データのみを参照できるため、位置情報が該当する領域を迅速に検出できる。
また、第１領域データ（大領域データ）と第２領域データ（小領域データ）や、第２領域データ（大領域データ）と第３領域データ（小領域データ）との関係をリンク情報で表すことができるので、各領域データは独立して管理でき、各領域データの設定や管理を容易に行うことができる。
【００２０】
本発明において、前記領域データの時差情報は、利用者の入力操作によって更新可能に構成されていることが好ましい。
【００２１】
本発明によれば、時差情報を入力操作で更新できるため、例えば、その地域の時差が変更になった場合に、利用者が時差を修正することで、正しい時刻を表示させることができる。
【００２２】
本発明の電子腕時計の時刻修正方法は、位置情報衛星から送信される衛星信号を受信して時刻情報および位置情報を取得可能な受信部と、時差情報が設定される地理情報を複数領域に分割した領域データ、および、各領域に含まれる時差情報を記憶した時差領域情報記憶手段とを備え、前記時差領域情報記憶手段に記憶された前記領域データは、前記地理情報を所定サイズの第１領域に分割した第１領域データと、第１領域において複数の時差情報が含まれる第１領域をさらに複数の第２領域に分割した第２領域データとを、少なくとも備え、前記領域データの全ての各領域は、矩形形状に区画され、前記第２領域の分割数は各第１領域毎に設定されている電子腕時計の時刻修正方法であって、位置情報衛星から送信される衛星信号を受信して時刻情報および位置情報を取得する受信工程と、前記受信工程で取得した位置情報が含まれる領域を前記各領域データから抽出し、その領域に含まれる時差情報を取得する時差情報取得工程と、前記時差情報取得工程で取得した時差情報および前記受信工程で取得した時刻情報に基づいて現在時刻を算出する時刻算出工程と、を備えることを特徴とする。
【００２３】
本発明においても、前記電子腕時計と同様の作用効果が得られる。すなわち、必要なメモリサイズを小さくできて腕時計にも適用可能であり、かつ、ユーザーの利便性を向上できるとともに、正確な時差設定を行うことができる。
【００２４】
本発明において、１つの時差情報しか含まれない領域に対応する時差情報には、前記時差情報のデータが記憶され、複数の時差情報が含まれる領域に対応する時差情報には、その領域を分割した領域データへのリンク情報が記憶され、前記時差情報取得工程は、前記地理情報を所定サイズの領域に分割した領域データにおいて、受信工程で取得した位置情報が含まれる領域を検出し、検出された領域に対応する時差情報に時差情報のデータが記憶されている場合には、その時差データを取得し、検出された領域に対応する時差情報にリンク情報が記憶されている場合には、前記位置情報が含まれる領域を検出し、検出された領域に対応する時差情報のデータを取得することが好ましい。
【００２５】
本発明においても、取得した位置情報が複数の時差情報が含まれる領域に含まれる場合、そのリンク情報に基づいて、その領域を分割した領域データのみを参照できるため、位置情報が該当する領域を迅速に検出できる。
【発明を実施するための最良の形態】
【００２６】
以下、この発明の好適な実施の形態を、添付図面等を参照しながら詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２７】
〔第１実施形態〕
図１は、本発明に係る電子時計であるＧＰＳ衛星信号受信装置付き腕時計１（以下「ＧＰＳ付き腕時計１」という）を示す概略図であり、図２はＧＰＳ付き腕時計１の主なハードウェア構成を示す図である。
図１に示すように、ＧＰＳ付き腕時計１は、文字板２および指針３からなるアナログ表示装置を備える。文字板２の一部には開口が形成され、ＬＣＤ表示パネル等からなるディスプレイ（デジタル表示装置）４が組み込まれている。従って、ＧＰＳ付き腕時計１は、指針３およびディスプレイ４を備えるコンビネーション時計である。
【００２８】
指針３は、秒針、分針、時針等を備えて構成され、ステップモータで歯車を介して駆動される。
ディスプレイ４はＬＣＤ表示パネル等で構成され、後述するように時差情報を表示する他、現在時刻やメッセージ情報等も表示可能とされている。
そして、ＧＰＳ付き腕時計１は、地球の上空を所定の軌道で周回している複数のＧＰＳ衛星５からの衛星信号を受信して衛星時刻情報を取得し、内部時刻情報を修正したり、測位情報つまり現在位置をディスプレイ４に表示できるように構成されている。
なお、ＧＰＳ衛星５は、本発明における位置情報衛星の一例であり、地球の上空に複数存在している。現在は約３０個のＧＰＳ衛星５が周回している。
【００２９】
また、ＧＰＳ付き腕時計１には、入力装置（外部操作部材）としてボタン６、リューズ７が設けられている。
【００３０】
［ＧＰＳ付き腕時計の回路構成］
次に、ＧＰＳ付き腕時計１の回路構成について説明する。
ＧＰＳ付き腕時計１は、図２に示すように、ＧＰＳ装置（ＧＰＳモジュール）１０、制御装置（ＣＰＵ）２０、記憶装置３０、入力装置４０、表示装置５０を備えている。記憶装置３０は、ＲＡＭ３１およびFlash ROM３２を備える。これらの各装置は、データバス６０を介してデータを通信している。
なお、表示装置５０は、時刻や測位情報を表示する前記指針３やディスプレイ４で構成されている。
また、ＧＰＳ付き腕時計１は、電源となる電池を内蔵している。電池は一次電池でもよいし、充電可能な二次電池でもよい。
【００３１】
［ＧＰＳ装置の構成］
ＧＰＳ装置１０は、ＧＰＳアンテナ１１を備え、ＧＰＳアンテナ１１を介して受信した衛星信号を処理して時刻情報や位置情報を取得するものである。
ＧＰＳアンテナ１１は、地球の上空を所定の軌道で周回している複数のＧＰＳ衛星５からの衛星信号を受信するパッチアンテナとなっている。このＧＰＳアンテナ１１は文字板２の裏面側に配置され、ＧＰＳ付き腕時計１の表面ガラスおよび文字板２を通過した電波を受信するように構成されている。
このため、文字板２および表面ガラスは、ＧＰＳ衛星５から送信される衛星信号である電波を通す材料で構成されている。例えば、文字板２はプラスチックで構成されている。
【００３２】
そして、ＧＰＳ装置１０は、図示を略すが、通常のＧＰＳ装置と同様に、ＧＰＳ衛星５から送信される衛星信号を受信してデジタル信号に変換するＲＦ（Radio Frequency）部と、受信信号の相関判定を行って同期を行うＢＢ部（ベースバンド部）と、ＢＢ部で復調された航法メッセージ（衛星信号）から時刻情報や測位情報を取得する情報取得部とを備える。
【００３３】
ＲＦ部は、バンドパスフィルタ、ＰＬＬ回路、ＩＦフィルタ、ＶＣＯ（Voltage Controlled Oscillator）、ＡＤＣ（Ａ／Ｄ変換器）、ミキサ、ＬＮＡ（Low Noise Amplifier）、ＩＦアンプ等を備えている。
そして、バンドパスフィルタで抜き出された衛星信号は、ＬＮＡで増幅された後、ミキサでＶＣＯの信号とミキシングされ、ＩＦ（Intermediate Frequency：中間周波数）にダウンコンバートされる。ミキサでミキシングされたＩＦは、ＩＦアンプ、ＩＦフィルタを通り、ＡＤＣ（Ａ／Ｄ変換器）でデジタル信号に変換される。
【００３４】
ＢＢ部は、ＧＰＳ衛星５で送信時に使用されたものと同一のＣ／Ａコードからなるローカルコードを生成するローカルコード生成部と、前記ローカルコードとＲＦ部から出力される受信信号との相関値を算出する相関部とを備える。
そして、前記相関部で算出された相関値が所定の閾値以上であれば、受信した衛星信号に用いられたＣ／Ａコードと生成したローカルコードが一致していることになり、衛星信号を捕捉（同期）することができる。このため、受信した衛星信号を、前記ローカルコードを用いて相関処理することで、航法メッセージを復調することができる。
【００３５】
情報取得部は、ＢＢ部で復調した航法メッセージから時刻情報や位置情報を取得する。すなわち、ＧＰＳ衛星５から送信される航法メッセージには、プリアンブルデータ及びＨＯＷワードのＴＯＷ（Time of Week、「Ｚカウント」ともいう）、各サブフレームデータが含まれている。サブフレームデータは、サブフレーム１からサブフレーム５まであり、各サブフレームには、例えば、週番号データや衛星健康状態データを含む衛星補正データ等や、エフェメリス（ＧＰＳ衛星５毎の詳細な軌道情報）や、アルマナック（全ＧＰＳ衛星５の概略軌道情報）などのデータが含まれている。
従って、情報取得部は、受信した航法メッセージから所定のデータ部分を抽出し、時刻情報や位置情報を取得している。このため、本実施形態では、ＧＰＳ装置１０によって受信部が構成されている。
【００３６】
記憶装置３０のFlash ROM３２には、制御装置２０で実行するプログラムの他、図３，４に示す時差領域情報が記憶されている。従って、記憶装置３０により、具体的にはFlash ROM３２によって時差領域情報記憶手段が構成されている。
一方、記憶装置３０のＲＡＭ３１には、受信により取得した時刻情報や位置情報が記憶される領域と、Flash ROM３２から読み出した時差情報が記憶される時差記憶領域が設けられている。
【００３７】
Flash ROM３２に記憶された時差領域情報は、図３，４に示すように、第１領域テーブル３５と第２領域テーブル３６とを備える。なお、Flash ROM３２は書き換え可能であるため、各領域テーブル３５，３６のデータも更新可能とされている。
第１領域テーブル３５は、地理情報を分割した各第１領域を示す領域データ３５２と、各第１領域に含まれる時差情報３５３とが記憶されている。なお、地理情報とは、タイムゾーン（時差情報）を有する地図情報である。
【００３８】
また、第２領域テーブル３６は、第１領域との関係を示すリンク情報３６１と、第１領域を分割した各第２領域を示す領域データ３６２と、各第２領域に含まれる時差情報３６３とが記憶されている。
【００３９】
本実施形態の第１領域および第２領域は、図５に示すように、矩形形状の領域である。第１領域は、東西および南北方向の各長さが１０００〜２０００ｋｍ程度の矩形形状の領域とされている。
このため、第１領域テーブル３５の領域データ３５２には、各第１領域を特定するための座標データが記憶されている。すなわち、矩形形状の領域であれば、例えば、左上の座標（経度、緯度）と、領域の右下の座標（経度、緯度）とで領域を特定できるため、これらの２点の座標が記憶されている。
【００４０】
また、第１領域テーブル３５の時差情報３５３には、各第１領域における時差情報が記憶されている。この際、複数の時差領域（タイムゾーン）が含まれている第１領域の時差情報３５３には、その領域を更に細分化した第２領域テーブル３６へのリンク情報が記憶されている。例えば、図５の左側に示す４つの第１領域３５Ａ〜３５Ｄにおいて、３つの第１領域３５Ａ〜３５Ｃは、その領域内に複数の時差領域が含まれているため、時差情報３５３には第２領域テーブル３６へのリンク情報であるＬｉｎｋ１〜３が記憶されている。
一方、第１領域３５Ｄは、その領域内に１つの時差領域しか含まれていないため、時差情報３５３にはその領域のＵＴＣに対する時差である「＋８」が記憶されている。
【００４１】
第２領域は、複数の時差情報を含む第１領域３５Ａ〜３５Ｃを更に複数の領域に分割して構成されている。この際、第２領域の分割数（サイズ）は、その領域における時差領域に応じて設定すればよい。例えば、本実施形態では、図５の右側に例示するように、第１領域３５Ｂは、１６分割して第２領域３６Ａ〜３６Ｐとしている。従って、各第２領域３６Ａ〜３６Ｐは、２５０〜５００ｋｍ四方のサイズとされている。
【００４２】
このため、第２領域テーブル３６の領域データ３６２には、各第２領域３６Ａ〜３６Ｐを特定するための座標データ、例えば、領域の左上および右下の２点の座標（経度、緯度）が記憶されている。
そして、第２領域テーブル３６の時差情報３６３には、各第２領域３６Ａ〜３６Ｐにおける時差情報（ＵＴＣに対する時差）が記憶されている。具体的には、第２領域３６Ａ，３６Ｅは時差＋７、第２領域３６Ｉ，３６Ｊ，３６Ｍ，３６Ｎ，３６Ｐは時差＋８、第２領域３６Ｂ，３６Ｃ，３６Ｄ，３６Ｆ，３６Ｇ，３６Ｈ，３６Ｋ，３６Ｌ，３６Ｏは時差＋９に設定されている。
以上のように、第１領域および第２領域を比較すると、第１領域は第２領域に比べて大きな大領域とされ、第２領域は第１領域に比べて小さな小領域とされている。
【００４３】
制御装置（ＣＰＵ）２０は、Flash ＲＯＭ３２に記憶されたプログラムにより各種制御を行う。このため、制御装置２０は、図６に示すように、受信制御手段２１、時差情報取得手段２２、時刻算出手段２３、時刻表示制御手段２４、時差情報更新手段２５を備える。
【００４４】
受信制御手段２１は、ボタン６やリューズ７などの入力装置４０によって受信操作が行われたことを入力装置４０からの信号で検出すると、ＧＰＳ装置１０を駆動制御して衛星信号の受信処理を実行する。
時差情報取得手段２２は、前記ＧＰＳ装置１０で取得した現在位置情報（経度・緯度）に基づいて第１領域テーブル３５や第２領域テーブル３６から時差情報を取得する。
【００４５】
時刻算出手段２３は、ＧＰＳ装置１０で取得した時刻情報と、時差情報取得手段２２で取得された時差情報に基づいて現地の現在時刻（地方時）を算出する。
時刻表示制御手段２４は、通常は、発振回路からの基準信号で計時された内部時刻に基づいて、表示装置５０の指針３を駆動して時刻を表示する制御を行う。また、時刻表示制御手段２４は、表示装置５０のディスプレイ４の駆動を制御し、時刻をデジタル表示することもできる。
そして、時刻算出手段２３で地方時が算出された場合には、時刻表示制御手段２４は、この算出された地方時で前記内部時刻を修正して表示する。このため、それ以降は、修正された内部時刻が前記基準信号で更新される。
【００４６】
時差情報更新手段２５は、ボタン６やリューズ７の外部操作部材によって所定の操作を行うことで、各領域テーブル３５、３６の時差情報を更新する制御を行う。
【００４７】
表示装置５０は、前述したように、指針３やディスプレイ４であり、時刻表示制御手段２４によって制御されている。
指針３は、ステップモータおよび輪列で駆動され、受信した時刻データで修正された内部時刻を指示する。ディスプレイ４は、時刻情報や位置情報等の各種情報を表示する。
【００４８】
［時刻情報受信処理］
次に、ＧＰＳ付き腕時計１の受信動作について、図７のフローチャートも参照して説明する。
図７に示す受信処理は、通常、利用者の受信操作が行われた場合に実行される。すなわち、位置情報を取得つまり測位を行うためには、ＧＰＳ衛星５の正確な軌道情報であるエフェメリスパラメータを４衛星分、受信する必要がある。ＧＰＳ衛星５のエフェメリスパラメータを４衛星分取得するには約６０秒程度かかり、消費電力も大きくなる。このため、利用者が位置情報の受信が必要となった場合、例えば、自国から外国に旅行した場合や、外国から自国に戻った場合のように、ＧＰＳ付き腕時計１の時刻を修正する場合に受信操作を行えばよい。
【００４９】
受信操作が行われると、制御装置２０の受信制御手段２１は、ＧＰＳ装置（ＧＰＳモジュール）１０を駆動して位置情報を取得する（Ｓ１１）。なお、位置情報を取得する場合、時刻情報も同時に取得できるため、Ｓ１１では時刻情報も取得される。
【００５０】
次に、時差情報取得手段２２は、取得した位置情報に基づいて第１領域テーブル３５を検索し、その位置情報（座標データ）が含まれる第１領域を検出する（Ｓ１２）。
例えば、領域データ３５２には、各第１領域の左上の座標と、右下の座標とが記憶されているので、取得した位置情報の緯度および経度と、各領域データ３５２とを比較すれば、取得した位置情報が含まれる第１領域を検出できる。
【００５１】
次に、時差情報取得手段２２は、検出した第１領域の時差情報３５３を参照し、その時差情報３５３に時差およびリンクのどちらの情報が記録されているかを判断する（Ｓ１３）。
【００５２】
Ｓ１３でリンク情報が記録されている場合、時差情報取得手段２２は、リンク情報を参照し、リンクされている第２領域テーブル３６を取得する（Ｓ１４）。
そして、時差情報取得手段２２は、取得した位置情報に基づいてリンク先の第２領域テーブル３６を検索し、その位置情報（座標データ）が含まれる第２領域を検出する（Ｓ１５）。
【００５３】
次に、時差情報取得手段２２は、Ｓ１３で時差が記録されていた場合には、該当する第１領域の時差情報３５３を参照し、Ｓ１５で第２領域を検出した場合には、検出した第２領域の時差情報３６３を参照し、取得した位置情報に対応する時差を取得し、ＲＡＭ３１の時差記憶領域に記憶して時差を設定する（Ｓ１６）。
【００５４】
次に、時刻算出手段２３は、受信したＧＰＳ時刻にＵＴＣオフセットと前記時差情報を加算して、時差を反映した時刻を算出する（Ｓ１７）。
すなわち、ＧＰＳ時刻をＵＴＣオフセットで補正すれば、ＵＴＣ（共通世界時）と同じになるため、さらにＵＴＣとの時差を加算すれば、現在地での現時刻を算出できる。
例えば、ＵＴＣに対する時差情報は「＋９」であった場合、時刻算出手段２３は、ＵＴＣに対する時差「＋９」を設定し、ＧＰＳ時刻＋ＵＴＣオフセットつまりＵＴＣが例えば「１時１０分」であれば、その時刻に９時間を加算し、現時刻「１０時１０分」を算出する。
なお、この時差設定情報は、前述の通り、ＲＡＭ３１に記憶されるため、その後に、ＧＰＳ衛星５から時刻情報のみを受信した場合には、時刻算出手段２３は、取得した時刻情報にＲＡＭ３１に記憶された時差を加算して現地時刻（地方時）を算出する。
【００５５】
そして、時刻表示制御手段２４は、時刻算出手段２３で算出された時刻、つまりＧＰＳ時刻に対して時差を反映した現時刻を表示装置５０によって表示する（Ｓ１８）。
すなわち、時刻表示制御手段２４は、ステッピングモータを駆動して、指針３を算出された時刻を指示する位置まで早送りで移動する。また、ディスプレイ４に、例えば、選択された領域データと、算出した時刻とを表示する。
これにより、表示時刻を現在地の時刻に修正するための受信処理が終了する。
【００５６】
［時刻情報受信処理＋時差設定処理］
次に、領域テーブル３５、３６に記憶された時差情報３５３，３６３をユーザーが修正して現地時刻を表示する場合について説明する。
すなわち、図８に示すフローチャートは、ユーザーがボタン６やリューズ７の外部操作部材を操作して時差情報の更新モードに移行して受信操作を行った場合に実行される処理を示す。なお、図８において、図７と同じ処理には同じ符号を付し、説明を簡略する。
【００５７】
図８においても、利用者の受信操作が行われると、図７のフローチャートと同様に、受信制御手段２１は、ＧＰＳ装置１０を駆動して位置情報および時刻情報を取得する（Ｓ１１）。
次に、時差情報取得手段２２は、取得した位置情報に基づいて第１領域テーブル３５を検索して該当する第１領域を検出し（Ｓ１２）、その第１領域の時差情報３５３に、時差およびリンクのどちらの情報が記録されているかを判断する（Ｓ１３）。
【００５８】
Ｓ１３でリンク情報が記録されている場合、時差情報取得手段２２は、リンクされている第２領域テーブル３６を取得し（Ｓ１４）、取得した位置情報に基づいて第２領域テーブル３６を検索して該当する第２領域を検出する（Ｓ１５）。
【００５９】
そして、時差情報取得手段２２は、Ｓ１３で時差が記録されていた場合には、該当する第１領域の時差情報３５３を参照し、Ｓ１５で第２領域を検出した場合には、検出した第２領域の時差情報３６３を参照し、取得した位置情報に対応する時差を取得し、ディスプレイ４に表示する（Ｓ２１）。なお、ディスプレイ４が設けられていない場合には、秒針などを移動して時差を表示してもよい。
【００６０】
次に、時差情報更新手段２５は、ディスプレイ４に表示された時差を確認したユーザーの操作を検出し、表示された時差をそのまま反映して良いか否かを判断する（Ｓ２２）。
【００６１】
時差情報更新手段２５は、Ｓ２２で表示時差をそのまま反映しない（反映ＮＧ）操作が行われたと判断した場合、引き続いて行われるユーザーの時差選択操作を検出する（Ｓ２３）。例えば、一方のボタン６を押すと、ディスプレイ４に表示される時差が＋１時間の時差に変更され、他方のボタン６を押すと−１時間の時差に変更されるように設定してある場合、時差情報更新手段２５は反映ＮＧの操作が行われた後に、いずれのボタン６が押されたかを判定し、そのボタンを押した回数に基づいてディスプレイ４に表示されている時差を更新する。
【００６２】
そして、時差情報更新手段２５は、例えば、ボタン６を押す操作が１０秒間行われなかったなどで時差更新操作が完了したことを検出すると、取得した位置情報に該当する領域データ３５２，３６２の時差情報３５３，３６３を、ユーザーの入力によって更新された時差情報に更新する（Ｓ２４）。
【００６３】
次に、時差情報更新手段２５は、Ｓ２４で更新された時差情報を、ＲＡＭ３１の時差記憶領域に記憶して時差を設定する（Ｓ２５）。
なお、Ｓ２２において、ユーザーにより、表示された時差をそのまま反映して良いと確認された場合には、時差情報更新手段２５は、Ｓ２１で取得した時差情報を、ＲＡＭ３１の時差記憶領域に記憶して時差を設定する（Ｓ２５）。
【００６４】
そして、時刻算出手段２３は、受信したＧＰＳ時刻にＵＴＣオフセットと前記時差情報を加算して、時差を反映した時刻を算出する（Ｓ１７）。
また、時刻表示制御手段２４は、時刻算出手段２３で算出された時刻、つまりＧＰＳ時刻に対して時差を反映した現時刻を表示装置５０によって表示する（Ｓ１８）。
以上によって、取得した現在位置の時差情報をユーザーの操作で更新して正しい時刻表示を行うことができる。
【００６５】
［第１実施形態の効果］
このような本実施形態によれば、次のような効果がある。
（１）ＧＰＳ付き腕時計１は、地図情報を所定サイズに分割した第１領域が記憶された第１領域テーブル３５と、複数の時差領域を含む第１領域を分割した第２領域が記憶された第２領域テーブル３６との２段階の領域テーブルを備えているので、海上や中国のような同一時差の領域が広い地域はサイズの大きな第１領域で区切り、国境などの時差境界線を含む領域は第１領域よりもサイズの小さな第２領域で区切ることができる。
このため、地図情報のすべてを第２領域で設定する場合に比べて、領域の設定数を少なくでき、その分、領域データのデータ量を小さくできる。従って、腕時計のようなメモリ容量の小さな機器にも適用することができる。
さらに、地図情報のすべてを第１領域で設定すると、時差境界線が複雑に入り組んでいるエリアのように、第１領域内に複数の時差が含まれている場合には、取得した位置情報（現在地）が第１領域内に含まれていることが判明しても正しい時差情報を取得できない可能性がある。これに対し、本発明では、そのようなエリアでは、第１領域を細かく分割した第２領域を設定しているため、取得した位置情報がどの第２領域に含まれるかを把握できる。そして、第２領域は、第１領域に比べてサイズが小さいため、第２領域を時差領域毎に設定することができ、正しい時差情報を取得できる可能性を向上できる。
従って、本発明によれば、必要なメモリサイズを小さくできて腕時計にも適用可能であり、かつ、正しい時差情報を取得できるために、正確な時差設定を行うことができる。
【００６６】
（２）ＧＰＳ付き腕時計１は、ＧＰＳ衛星５からの衛星信号を受信してＧＰＳ付き腕時計１の位置情報を取得し、その位置情報に基づいて第１領域テーブル３５や第２領域テーブル３６から時差情報を自動的に取得している。
このため、受信処理を行うと、自動的に現在地の時差情報を取得して表示時刻を現地時刻に変更でき、利用者が時計の指示を修正する必要がないため、ユーザーの利便性を向上できる。
特に、ＧＰＳ衛星５からの衛星信号は世界中で受信が可能であるため、受信エリアが制限されている長波の標準電波を受信して時刻修正を行う電波修正時計に比べて、利用できるエリアが広く、その分、ユーザーの利便性を向上できる。
【００６７】
（３）また、第１領域テーブル３５において、複数の時差領域を含む第１領域の時差情報３５３には、第２領域テーブル３６へのリンク情報が登録されているので、時差情報取得手段２２は、位置情報を取得したら、まず第１領域テーブル３５を検索すればよく、リンク情報が登録されていれば自動的に第２領域テーブル３６を検索することができる。
このため、時差情報取得手段２２は、取得した位置情報を、各領域テーブル３５，３６のすべての領域データと比較する必要が無く、迅速に該当領域を特定できる。すなわち、領域テーブル３５は領域サイズが大きいために領域データ数も少なく、取得した位置情報がどの第１領域に含まれるかは迅速に検出できる。そして、第２領域テーブル３６を検索する場合も、リンクされた第２領域部分のみでよいため、迅速に該当領域を検出できる。このため、ＣＰＵの負荷も少なくでき、ローパワーで動作可能であるため、ＧＰＳ付き腕時計１の省電力化を促進できる。
【００６８】
（４）本実施形態では、第１領域および第２領域を矩形形状に設定しているので、各領域テーブル３５，３６の領域データには、矩形の対角線の２点の座標データのみを登録すればよいため、各領域テーブル３５，３６のデータ量を低減できる。
さらに、第１領域および第２領域のサイズも自由に設定できるため、第１領域３５Ｂは１６分割して第２領域を設定していたが、例えば、第１領域３５Ａは４分割して第２領域を設定することもできる。また、第１領域自体も、南米や北米はより大きなサイズにすることもできる。従って、各第１領域や第２領域を適切なサイズで設定でき、その分、領域テーブル３５，３６に登録する領域の数を少なくできてデータ量をより一層低減できる。
【００６９】
（５）また、各第１領域および第２領域が矩形形状であるため、取得した位置情報がどの領域に含まれるかの処理も非常に簡単に行える。このため、例えば、時差が設定されている固定点と取得した位置情報との距離を算出して時差を求める場合に比べて、時差を迅速に検出することができ、ＣＰＵの負荷をより一層低減でき、省電力化をより一層促進できる。
【００７０】
（６）さらに、時差情報更新手段２５を設け、取得した位置情報に対応する領域の時差を、ユーザーの手動操作で更新できるようにしたので、仮に、その地域の時差が変更された場合にも、即座に対応でき、正しい現地時刻を表示することができる。
【００７１】
〔第２実施形態〕
次に、本発明の第２実施形態について図９〜１２に基づいて説明する。なお、以下の各実施形態において、前述した他の実施形態と同一または同様の構成については、同一符号を付し、説明を省略または簡略する。
第２実施形態は、第１領域テーブル３５、第２領域テーブル３６に加えて第３領域テーブル３７を設け、３段階に領域を分割できるように構成したものである。
【００７２】
第１領域テーブル３５および第２領域テーブル３６のテーブル構造は、第１実施形態と同じである。
また、第３領域テーブル３７のテーブル構造は、第２領域テーブル３６と同じく、第２領域との関係を示すリンク情報３７１と、第２領域を分割した各第３領域のエリアを示す領域データ３７２と、各第３領域に含まれる時差情報３７３とが記憶されている。
【００７３】
本実施形態の第１領域は、第１実施形態と同様に、第１領域３５Ａ〜３５Ｄが設定され、第１領域３５Ａ〜３５Ｃの時差情報３５３には第２領域テーブル３６へのリンク情報が記録されている。
また、第１領域３５Ｂは、４つの第２領域３６Ａ〜３６Ｄに４分割されている。そして、第２領域３６Ａ，３６Ｄの時差情報３６３には、第３領域テーブル３７へのリンク情報が記録されている。また、第２領域３６Ｂ，３６Ｃの時差情報３６３には、時差情報＋９，＋８がそれぞれ記録されている。
【００７４】
第２領域３６Ａは、４つの第３領域３７Ａ〜３７Ｄに４分割されている。また、第２領域３６Ｄは、４つの第３領域３７Ｅ〜３７Ｈに４分割されている。
そして、各第３領域３７Ａ〜３７Ｈの時差情報３７３には、図１１にも示すように、各時差情報がそれぞれ記録されている。
以上のように、第１領域および第２領域を比較すると、第１領域は第２領域に比べて大きな大領域とされ、第２領域は第１領域に比べて小さな小領域とされている。また、第２領域および第３領域を比較すると、第２領域は第３領域に比べて大きな大領域とされ、第３領域は第２領域に比べて小さな小領域とされている。
従って、第１〜３領域で比較すると、第１領域が一番大きな大領域、第２領域が中間の大きさである中領域、第３領域が最も小さな小領域となる。
【００７５】
第２実施形態においても、ＧＰＳ付き腕時計１のハードウェア構成は、図２，６に示す前記第１実施形態と同一であるため、説明を省略する。
第２実施形態では、図１３に示すフローチャートに基づいて受信処理が行われる。なお、図１３のフローチャートにおいて、第１実施形態のフローチャートと同じ処理には同一の符号を付し、説明を簡略する。
【００７６】
すなわち、受信操作が行われると、受信制御手段２１は、ＧＰＳ装置１０を駆動して位置情報および時刻情報を取得する（Ｓ１１）。
次に、時差情報取得手段２２は、取得した位置情報に基づいて第１領域テーブル３５を検索して該当する第１領域を検出し（Ｓ１２）、その第１領域の時差情報３５３に、時差およびリンクのどちらの情報が記録されているかを判断する（Ｓ１３）。
【００７７】
Ｓ１３でリンク情報が記録されている場合、時差情報取得手段２２は、リンクされている第２領域テーブル３６を取得し（Ｓ１４）、取得した位置情報に基づいて第２領域テーブル３６を検索して該当する第２領域を検出する（Ｓ１５）。
【００７８】
次に、時差情報取得手段２２は、検出した第２領域の時差情報３６３に、時差およびリンクのどちらの情報が記録されているかを判断する（Ｓ３１）。
Ｓ３１でリンク情報が記録されている場合、時差情報取得手段２２は、リンクされている第３領域テーブル３７を取得し（Ｓ３２）、取得した位置情報に基づいて第３領域テーブル３７を検索して該当する第３領域を検出する（Ｓ３３）。
【００７９】
次に、時差情報取得手段２２は、Ｓ１３で時差が記録されていた場合には、該当する第１領域の時差情報３５３を参照し、Ｓ３１で時差が記録されていた場合には、該当する第２領域の時差情報３６３を参照し、Ｓ３３で第３領域を検出した場合には、検出した第３領域の時差情報３７３を参照し、取得した位置情報に対応する時差を取得し、ＲＡＭ３１に記憶して時差を設定する（Ｓ１６）。
【００８０】
次に、時刻算出手段２３は、受信したＧＰＳ時刻にＵＴＣオフセットと前記時差情報を加算して、時差を反映した時刻を算出する（Ｓ１７）。
そして、時刻表示制御手段２４は、算出された時刻を表示装置５０によって表示する（Ｓ１８）。
【００８１】
［第２実施形態の効果］
第２実施形態によれば、前記第１実施形態と同様の作用効果を奏することができる。
その上、各領域テーブル３５〜３７を設け、時差情報の領域を３段階に分割できるように構成したので、各領域をそのエリアの時差領域に応じた適切なサイズに設定でき、領域のデータ数を少なくでき、必要なメモリ容量も小さくできる。
例えば、第１実施形態では、図５に示すように、第１領域３５Ａ〜３５Ｄと、第２領域３６Ａ〜３６Ｐの計２０個のデータが必要となる。一方、本実施形態では、図１２に示すように、第１〜３領域において計１６個のデータでよく、データ数を減少することができる。このため、これらのデータを保存するメモリ容量も小さくでき、小型のＧＰＳ付き腕時計１により適したものにできる。
【００８２】
〔変形例〕
なお、本発明は、前記各実施形態に限らない。
例えば、前記実施形態では、地理情報を分割した領域を矩形状に区画していたが、その形状は矩形に限定されず、例えば、三角形、台形、凸形状、凹形状などの他の形状でもよい。但し、領域を矩形にすれば、２点の座標のみで領域を特定でき、かつ、受信した位置情報との比較も容易に行える利点がある。
また、前記実施形態では、矩形領域を２点の座標で特定していたが、例えば、矩形領域の左上隅など決められた１点の座標と、その矩形領域のサイズ、例えば対角線の長さとの２つの情報で特定してもよい。
さらに、各矩形領域の大きさが各段階の領域毎に予め固定されている場合には、前記１点の座標データのみで矩形領域を特定してもよい。
さらに、前記実施形態では、矩形領域の各区画線が経線および緯線に沿った形状としていたが、経線、緯線に沿っていない形状としてもよい。例えば、経線、緯線に対して４５度傾斜した線で囲まれる矩形形状で領域を設定してもよい。
【００８３】
また、各第１領域のサイズは同一でなくてもよく、各エリアの時差領域に応じて設定すればよい。例えば、太平洋や大西洋などの海のエリアや、中国などの同一時差の領域が広い場合には、そのエリアの第１領域のサイズをより大きなものにしてもよい。
また、第１領域を分割した第２領域や、第２領域を分割した第３領域の分割数も前記各実施形態のものに限定されず、そのエリアの時差領域に応じて設定すればよい。例えば、第１実施形態では第１領域３５Ｂを１６分割して第２領域を設定していたが、第１領域３５Ａを４分割、第１領域３５Ｃを９分割するなど、各第１領域毎に分割数を調整してもよい。
同様に、第２領域を分割した第３領域においても、その分割領域内に複数の時差領域が含まれないような大きさに設定すればよい。従って、第３領域においても、各第２領域毎に分割数を調整してもよい。
【００８４】
さらに、前記第１実施形態では、利用者の操作によってFlash ＲＯＭ３２に記憶された時差情報を更新する機能を設けていたが、第２実施形態においても同様の機能を設けてもよい。
【００８５】
また、前記各実施形態では、リンク情報を用いて第２領域テーブル３６や第３領域テーブル３７を参照できるように構成していたが、分割された各領域の参照方法はこのようなリンク情報を用いたものに限定されない。例えば、各領域テーブル３５〜３７のデータを１つのテーブルにまとめておき、取得した位置情報に基づいて、第１領域から第３領域までの領域データを参照し、該当する領域を検出するようにしてもよい。
但し、リンク情報を用いれば、各領域テーブル３５〜３７を個別に設定でき、データ管理を容易に行うことができる利点がある。
【００８６】
また、前記第１実施形態では第１、２領域の２段階、第２実施形態では第１〜３領域の３段階の領域を設定していたが、４段階以上の領域を設定しても良い。すなわち、より大きな領域内に複数の時差情報が含まれる場合には、その領域を分割する処理を複数回繰り返して各領域を設定すればよい。これらの領域の段階数は、複数の時差情報が含まれる領域が無くなるサイズまで設定すればよい。
さらに、各領域の具体的なサイズも前記実施形態に限らず、例えば、第１領域の一辺の長さを１００ｋｍとし、第２領域の一辺の長さを２０ｋｍにするなど、実施にあたって適宜設定すればよい。
【００８７】
さらに、前記第１，２実施形態ではコンビネーション時計に適用していたが、指針を備えないデジタル時計に適用してもよい。
また、本発明の電子時計は、腕時計に限定されず、懐中時計でもよく、携帯して利用される各種の電子時計に広く利用できる。
さらに、電子時計としては、時計機能に加えて他の機能も備える各種の電子機器であってもよい。例えば、ＧＰＳ機能および時計機能を備える携帯電話機や、ナビゲーション機器などの各種電子機器にも広く利用できる。
【００８８】
また、上述の各実施形態は、ＧＰＳ衛星について説明したが、本発明は、ＧＰＳ衛星だけではなく、ガリレオ（ＥＵ）、ＧＬＯＮＡＳＳ（ロシア）、北斗（中国）などの他の全地球的航法衛星システム（ＧＮＳＳ）や、ＳＢＡＳなどの静止衛星や準天頂衛星などの時刻情報を含む衛星信号を発信する位置情報衛星でも良い。
【図面の簡単な説明】
【００８９】
【図１】本発明に係るＧＰＳ付き腕時計を示す概略図である。
【図２】ＧＰＳ付き腕時計の回路構成を示す概略図である。
【図３】第１領域テーブルの一例を示す図である。
【図４】第２領域テーブルの一例を示す図である。
【図５】時差情報が設定された地理情報の一例を示す図である。
【図６】制御装置の構成を示すブロック図である。
【図７】第１実施形態の受信処理を示すフローチャートである。
【図８】第１実施形態の時差更新モードでの受信処理を示すフローチャートである。
【図９】第２実施形態の第１領域テーブルの一例を示す図である。
【図１０】第２実施形態の第２領域テーブルの一例を示す図である。
【図１１】第２実施形態の第３領域テーブルの一例を示す図である。
【図１２】第２実施形態の時差情報が設定された地理情報の一例を示す図である。
【図１３】第２実施形態の受信処理を示すフローチャートである。
【符号の説明】
【００９０】
１…ＧＰＳ付き腕時計、３…指針、４…ディスプレイ、５…ＧＰＳ衛星、６…ボタン、１０…ＧＰＳ装置、２０…制御装置（ＣＰＵ）、２１…受信制御手段、２２…時差情報取得手段、２３…時刻算出手段、２４…時刻表示制御手段、２５…時差情報更新手段、３０…記憶装置、３１…ＲＡＭ、３２…Flash ＲＯＭ、３５…第１領域テーブル、３６…第２領域テーブル、３７…第３領域テーブル、４０…入力装置、５０…表示装置。
【図１】
0005476664.tif 000002
【図２】
0005476664.tif 000003
【図３】
0005476664.tif 000004
【図４】
0005476664.tif 000005
【図５】
0005476664.tif 000006
【図６】
0005476664.tif 000007
【図７】
0005476664.tif 000008
【図８】
0005476664.tif 000009
【図９】
0005476664.tif 000010
【図１０】
0005476664.tif 000011
【図１１】
0005476664.tif 000012
【図１２】
0005476664.tif 000013
【図１３】
0005476664.tif 000014